(57)【要約】      （修正有）【課題】乳幼児用スリングと両肩に肩帯を掛ける子守帯の両方の使い方が可能であり、保持部の環周の部分調節が可能であり、クッションの取り外しが可能であり、携帯する際に便利な子守帯を提供する。【解決手段】幅広の布からなる保持部と、前記保持部の一端から延出する２本の支持帯と、前記２本の支持帯に取り付けた連結手段１ａ，１ｂと、前記連結手段の間部分３と、前記連結手段を二重に固定する固定部分２ａ，２ｂと、前記保持部の他端の裾部５と、前記保持部の一端から他端の裾部において少なくとも一箇所設けられた布幅の調節が可能な布幅調節部分６，７と、前記保持部に取り付けられる着脱可能な肩帯を備え、前記肩帯は乳幼児の体を保護するクッション性敷材としても取り付けられる。【選択図】図１ａ
2005288107.tif 000002
【特許請求の範囲】
【請求項１】
幅広の布からなる保持部と、前記保持部の一端から延出する２本の支持帯と、前記２    本の支持帯に取り付けた連結手段と、前記連結手段の間部分と、前記連結手段を二重    に固定する二重固定部分と、前記保持部の他端の裾部と、前記保持部の一端から他端    の裾部において少なくとも一箇所設けられた布幅の調節が可能な布幅調節部分と、前    記保持部に取り付けられる着脱可能な肩帯を備えることを特徴とする子守帯。
【請求項２】
前記肩帯は、乳幼児の体を保護するクッション性敷材としても取り付けられる事を特    徴とする子守帯請求項１に記載の子守帯。
【発明の詳細な説明】
【発明の詳細な説明】
【技術分野】
【０００１】    本発明は、子守帯に関するものである。
【背景技術】
【０００２】    従来より乳幼児を保持するための子守帯として、乳幼児の身体を起こした状態で保持    する乳幼児保持部に左右一対の肩帯を取り付けたものが種々提案され、一般に多く用    いられている。このタイプの子守帯は、乳幼児保持部を使用者の正面側または背面側    に位置させるとともに、両肩に肩帯を掛けて使用される。【０００３】    これらの子守帯は、乳幼児に特定の姿勢をとらせて保持者の体に固定して保持するも    のであったため、乳幼児の一定部位に持続的に圧迫が加わるという問題点があった。【０００４】    上記の問題点が解決された子守帯として以下の特許文献が挙げられる。
【特許文献１】実開平０７−０１４９２１号広報
【特許文献２】特開２００３−０４７５４２号広報
これらの広報に記載された子守帯は幅広の布を環状に形成して片方の肩にたすきがけ    にして、保持部に乳幼児を様々な姿勢で保持可能に構成された乳幼児用スリングとい    われる子守帯である。【０００５】    特許文献１に記載された考案においては、中間ほど幅広の布の両側縁にクッション等    を封入した補強部を形成すると共に、布の両端に形成された連結手段を利用して環状    に形成した後、片方の肩にたすきかけにして袋状の乳幼児保持部に乳幼児を収容して    保持する乳幼児用スリングである。【０００６】    特許文献２に記載された考案においては、両端ほど絞られている布の両端に支持体を    形成し、一端の支持部に設けられた連結手段に他端の支持部を通して環状に形成した    後、片方の肩に襷かけにして袋状の乳幼児保持部に乳幼児を収容して保持する乳幼児    用スリングである。【０００７】    これらの乳幼児用スリングは、幅広の布からなる袋状の保持部において乳幼児を保持    するので、乳幼児の一定部位に持続的に圧迫が加わらない。しかし、乳幼児の位置を    固定せずに保持者の一方の肩に斜めにたすきがけにするので、乳幼児が斜め下方向に    ずれやすい。【０００８】    乳幼児を前面又は側面にて保持する場合には、乳幼児の位置を保持者が確認しやすい    ので、乳幼児がずれないように保持者の手での補助や、安定した位置に補正しながら    保持する事ができる。しかし、背負う場合には、保持者による乳幼児の位置の確認や    手による補助や補正が難しい為に乳幼児が斜め外側下方へずれるので、背部での安定    した乳幼児の保持が難しい。【０００９】    つまり、特許文献１及び、特許文献２に記載された考案においては乳幼児を固定せず    に保持できるが、背部での保持が難しい。その為、保持者が前方で手を使用する場合    には、乳幼児を安定して背部で保持できる両肩に肩帯を掛ける子守帯を併用するのが    一般的である。
【発明の開示】
【発明が解決しようとする課題】
【００１０】    上述したように、従来の乳幼児用スリングでは、乳幼児を固定せずに保持できるが、    背部での保持が難しい。その為、一方の肩にたすきがけにする乳幼児用スリングと、    安定しておんぶが出来て両手が使用できる両肩に肩帯を掛けて使用する子守帯と２種    類の併用を必要とするという問題点があった。一方の肩にたすき掛けにする乳幼児用    スリングと両肩に肩帯を掛ける子守帯のいずれにも使用できる子守帯があれば１つで    済む。しかし、特許文献１及び、特許文献２に記載された考案においては、形態の違    いから両肩にかける子守帯としての使用はできないという問題点がある。【００１１】    また、特許文献１及び、特許文献２に記載された考案においては、布の一端に形成さ    れた連結手段に他端に形成された支持体を適宜通して環状にする形式である為、支持    体を引くことにより環周の調節が可能である。しかし、支持体を形成する際に裾をま    とめて縫着している為に、裾全体を一定方向にしかひく事が出来ない。その為に乳幼    児の姿勢に合わせて環周を部分的に調節する事が難しいという問題点がある。【００１２】    また、特許文献１及び、特許文献２に記載された考案においては、保持者の一方の肩    にたすきがけにして使用されるが、肩に乗せているだけであるので、乳幼児の動きや    位置変更によってずれやすい。また、連結部分の布幅よりも肩の部分の布幅が広く形    成されているので、布が肩から腕の方まで広がって保持者の腕の動きを妨げるという    問題がある。【００１３】    特許文献１に記載された文献においては、布の両側にクッションが封入された補強部    が設けられている。この補強部は、乳幼児や保持者の肩の保護や、気温が低い時期に    は保温の効果もある。しかし、前記補強部がかさばって持ち運びに不便であるし、気    温が高い時期には暑くて使い辛いという問題点がある。【００１４】    特許文献２に記載された文献においては、ポケット部に収容する形で携帯しやすい形    に変更できるが、持ち手が無いために単体で携帯する場合には不便であるという問題    がある。【００１５】    本発明は、これらの問題に鑑みなされたものであり、乳幼児用スリングと両肩に肩帯    を掛ける子守帯の両方の使い方が可能であり、保持部の環周の部分調節が可能であり    、クッションの取り外しが可能であり、携帯する際に便利な子守帯を提供する事を課    題とする。
【課題を解決するための手段】
【００１６】    この発明の子守帯は、前記の目的を達成するために、幅広の布からなる保持部と、前    記保持部の一端から延出する２本の支持帯と、前記２本の支持帯に取り付けた連結手    段と、前記連結手段の間部分と、前記連結手段を二重に固定する二重固定部分と、前    記保持部の他端の裾部と、前記保持部の一端から他端の裾部において少なくとも一箇    所設けられた布幅の調節が可能な布幅調節部分と、前記保持部に取り付けられる着脱    可能な肩帯を備えることを特徴とする。【００１７】    また、前記肩帯は、乳幼児の体を保護するクッション性敷材としても取り付けられる    ことが好ましい。
【発明の効果】
【００１８】    請求項１の発明は、幅広の布からなる保持部と、前記保持部の一端から延出する２本    の支持帯と、前記２本の支持帯に取り付けた連結手段と、前記連結手段の間部分と、    前記連結手段を二重に固定する二重固定部分と、前記保持部の他端の裾部と、前記保    持部の一端から他端の裾部において少なくとも一箇所設けられた布幅の調節が可能な    布幅調節部分と、前記保持部に取り付けられる着脱可能な肩帯を備えることを特徴と    する子守帯である。【００１９】    上記のように構成された本発明の子守帯によれば、連結手段が２箇所に分かれている    ので、２つの連結手段を組み合わせて使用する事ができる。【００２０】    ２つの連結手段を組み合わせて使用する場合は、連結手段の間部分が環状となるので    、その環状部分に保持者の片腕を通して使用する事ができる。この場合、肩と胸の側    方と背中の３箇所に乳幼児の重さが分散するため、肩だけで支える従来の乳幼児用ス    リングよりも保持者の肩の負担が軽減されると共に、肩部分が保持者の首や腕の方に    ずれるのを防ぐ事ができる。【００２１】    二つの連結手段を組み合わせて使用する場合は、連結手段はそれぞれが取り付けられ    ている方向にずれやすい為、合わせるだけでは２つの連結手段をしっかりと固定する    事が難しい。【００２２】    しかし、上記のように構成された本発明の子守帯によれば、連結手段を二重に固定す    る固定部分を設けているので、２つの連結手段がずれないように連結手段を組み合わ    せた位置で固定する事ができる。また、連結手段の固定部分が二重になるので、固定    部分の強度を増す事ができる。【００２３】    また、上記のように構成された本発明の子守帯によれば、乳幼児用スリングとして使    用する場合には、裾全体を引いて環周全体を調節するのはもちろんのこと、裾を部分    的に引いて環周を部分的に調節する事や、保持部の布を折り畳んで使用する事により    、高さの調節が可能である。この事により、ペットなど乳幼児と体型が違う物の保持    や、首のすわり、腰のすわりのような乳幼児の成長に応じた調節や、縦抱き、横抱き    など乳幼児の向きや、同方向、対面、横向きなど乳幼児と保持者の向きなど保持者と    乳幼児に合わせて様々な保持の方法ができる。【００２４】    ペットを保持する場合は、ペットが布の袋状の部分に保持されるため、保持者の服に    ペットの毛等がつかないようにする事ができる。【００２５】    また、上記のように構成された本発明の子守帯によれば、連結手段が２箇所に設けら    れているので、連結手段の間部分を腰ベルトとして使用して、肩帯を保持部に取り付    けて形成して、片方の肩に掛けて使用する乳幼児用スリングから両肩に肩帯を掛けて    使用する子守帯に変形することができる。【００２６】    この子守帯を両肩にかけて使用する子守帯に変形する際には、前記保持部に肩帯を取    り付け、布の裾部分を肩帯と連結手段間の部分からなる腰ベルトに適宜巻いて形成す    る為、帯の位置により乳幼児保持部の高さが調節できる。【００２７】    この事により、両肩にかけて使用する場合は、肩帯にかかる布の幅と、連結手段の間    特定の姿勢をとることによる乳幼児の脚や体幹部の圧迫を軽減する事が出���る。また    、乳幼児の体型に合わせて子守帯の幅を調節する事により、保持者の前方で乳幼児を    抱く場合に対面式と前向きの両方の抱き方をする事ができる。【００２８】    また、本発明の子守帯は、連結手段と連結手段の間部分からできる環状部分に保持者    の片腕を通して使用する。しかし、連結手段の間部分は腰ベルトとしても使用するた    め、肩の周囲よりも長くなっている。【００２９】    片方の肩に襷がけにして乳幼児用スリングとして使用する場合は、肩周囲の部分が余    ってしまうと、保持者の胸の側方から背中と腕に近い肩の外側部分がゆるんでしまい    、乳幼児の重みを保持者の胸の側方から背中と腕に近い肩の外側部分に分散させて乳    幼児を支える事が出来なくなる為、保持者の首に近い肩の内側部分に乳幼児の重みが    集中し、保持者の負担が増強する。【００３０】    しかし、上記のように構成された本発明の子守帯によれば、前記保持部の一端から他    端の裾部において少なくとも一箇所設けられた布幅を調節する部分を設けているので    、連結手段の間部分に布幅を調節する部分を設けることにより、連結手段の間部分の    幅を保持者の肩の周囲に合わせる事が出来る。その為、乳幼児の重みを胸の側方から    背中と、腕に近い肩の外側部分にも分散させる事が出きるので、保持者の負担を軽減    する事ができる。【００３１】    なお、連結手段の間部分は、乳幼児用スリングとして使用する際には保持者の肩部分    になり、両肩にかける子守帯として使用する際には保持者の腰と乳幼児との間になる    。その為、連結手段の間部分に綿等を封入する場合はクッションとなり、保持者と乳    幼児の負担を軽減する事ができる。【００３２】    なお、乳幼児用スリングの背中の部分に布幅を調節する部分を設ける場合は、保持者    の背中部分における布の広がりすぎを押さえる事ができる。【００３３】    なお、乳幼児用スリングの裾部分に、布幅を調節する部分を設ける場合は、裾の長す    ぎや広がりすぎによって邪魔にならない様に裾をまとめる事ができる。【００３４】    請求項２の発明は、前記肩帯は、乳幼児の体を保護するクッション性敷材としても取    り付けられる事を特徴とする子守帯である。【００３５】    子守帯の全面または側面に綿等を封入して縫着した乳幼児用スリングは、封入された    綿がクッションや保温の役目を果たし、乳幼児が未熟な時期の使用や、冬季等気温が    低い時期には非常に有効である。しかし、夏季等気温が高い時期には適していない。    乳幼児用スリングを快適に使用できる時期を限るという事は、季節に応じて複数の乳    幼児用スリングが必要になるという事である。【００３６】    しかし、上記のように構成された本発明の構成によれば、着脱可能な肩帯を折り畳ん    で形成する事により、乳幼児の体を保護するクッション性敷材としての使用が出来る    。この事により、両肩にかける子守帯として使用する場合には、乳幼児の背部や臀部    のクッションとして使用する事ができる。また、乳幼児用スリングとして使用する場    合には、クッションを側面の布に巻き込んで乳幼児の首、肩、脚等の保護や固定のた    めの使用や、連結手段に乳幼児の頭部が触れないように枕としての使用や、首の据わ    らない乳幼児��首の固定に使用できる。【００３７】    また、肩帯に二重部分を設ける場合には、子守帯の裾を通して形成して両肩にかけて    使用する際に、通した布が横方向へのずれを防ぐ事が可能となり、肩帯の二重部分に    背当てやクッションなど様々なものを通して使用することが可能となる。【００３８】    また、帯の一定部分に綿等を封入する場合には、乳幼児や保持者のクッションとなり    、使用感をよくする事が可能となる。【００３９】    また、本発明の子守帯を乳幼児用スリングとして使用する場合にも、帯やクッション    を別に携帯する必要がなくなるので、携帯品を減らす事ができる。【００４０】    また、上記のように構成された本発明の構成によれば、前記連結手段を合わせて全体    を適宜折り、連結手段に帯を通して巻く事により、連結手段を持ち手とするかばん様    に変形する事ができる。その為、単体としても持ち運びしやすくなるので携帯に便利    であり、ベビーカーの持ち手などに掛けて持ち運ぶこともできる。
【発明を実施するための最良の形態】
【００４１】    本発明の子守帯は、図１ａの乳幼児用スリング及び、８の帯により構成される。【００４２】    図１ａの乳幼児スリングは、幅広の長方形の布からなる保持部と、前記保持部の一端    から延出する２本の支持帯図２ａ、２ｂと、前記２本の支持２ａ、２ｂに取り付けた    連結手段１ａ、１ｂと、前記２本の支持体からなる前記連結手段を二重に固定する二    重固定部分２ａ、２ｂと、連結手段の間部分３と、前記保持部の他端の裾部５と、前    記保持部の一端から他端の裾部において少なくとも一箇所設けられた布幅の調節が可    能な布幅調節部分６，７と、前記保持部に取り付けられる着脱可能な肩帯８によって    構成される。【００４３】    ここで言う連結手段とは、金属やプラスチック等の素材で作られたリング又は、バッ    クル等の複数の部分をつなげる場合に使用される物品である。【００４４】    本発明の乳幼児用スリング図１ａは、長方形の布を使用し、片方の端を一定範囲まで    折り畳んで連結手段の間の部分３を形成し、両側面を一定範囲まで折り畳み側面部４    ａ、４ｂを形成し、３と４ａ、４ｂからなる２つの角において、それそれ斜め外側上    方の方向に中心線を取り、両側から蛇腹状に適宜折り畳んで図１ｂの２ｃ及び２ｄ、    ２ｅ、２ｆを形成する。【００４５】    連結手段を二重に固定する二重固定部分２ａは２ｃと２ｄで構成され、連結手段を固    定する部分２ｂは２ｅと２ｆで構成されている。【００４６】    ２ｃと２ｄ部分、２ｅと２ｆ部分にそれぞれ連結手段を取りつけて折り返して縫着し    、更に折り返してスナップ等を取りつけて連結手段を二重に固定する部分２ａ、２ｂ    を形成する。つまり、前記２本の支持体によって前記２つの連結手段が二重に固定さ    れている。【００４７】    その後、連結手段の間部分３ｂに布幅を調節する部分６を通す筒状部分を形成して布    幅を調節する部分６を通し、両側を折り畳んだ部分４ａ、４ｂを渡る部分も折り伏せ    縫いにして布幅を調節する部分７を通す筒状部分を形成して布幅を調節する部分７を    通し、図１ａが形成される。【００４８】    図１ａを形成する際に連結手段の間部分３に綿等を封入してもよい。【００４９】    ２ｃ、２ｄ、２ｅ、２ｆは補強とデザイン性の向上の為に、飾り縫い、パッチワーク    や、飾りをつけてもよい。【００５０】    連結手段を二重に固定する二重固定部分２ａ、２ｂを作成する際は、両側を一定部分    まで蛇腹状に折って４ａ、４ｂ部を形成し、端を折り返して縫着して連結手段の間部    分３を形成した後に、別な布を使用して２ａ、２ｂを形成してもよい。【００５１】    連結手段を二重に固定する二重固定部分２ａ、２ｂには、おもちゃやよだれ拭きなど    赤ちゃんに必要なものを取りつける為に使用してもよい。【００５２】    肩帯８は、布でつくられ、中央付近が一定範囲において二重に形成されている。
肩帯８と同じ幅で乳幼児の肩幅程度の長さの布を用意し、帯状の布の中央付近に、綿    等を封入して縫着する。これを２本用意し、短い布側を内側に合わせて、短い布以外    の部分を縫い合わせた形態である。【００５３】    肩帯８は、適宜折り畳んで側面４ａ、または４ｂに巻きこむことにより、側面部のク    ッションとして形成できる。【００５４】    肩帯８は、綿等は二重部分８ａだけでなく、肩等があたる部分や全体に封入してもよ    い。【００５５】    肩帯８の二重部分８ａを形成する際には、一重の帯に別布で二重部分を作成して縫着    してもよい。【００５６】    肩帯８は、二重部分８ａを設けない一重の帯でもよい。【００５７】    この乳幼児用スリングを両肩に掛けて使用する子守帯へ変形する際には、連結手段の    間部分３を腰当てとして使用し、肩帯８を肩帯として使用する。【００５８】    帯の二重部分８ａに裾５を通し、乳幼児の大きさに応じた位置で折り返して帯８と連    結手段の間部分３を巻いていき、最後に裾５を３付近の４ａ、４ｂの内側に入れ込み    形成する。【００５９】    両肩にかけて使用する際に、乳幼児の臀部は連結手段の間部分３付近にあたり、巻か    れた布は乳幼児の重みによって圧迫されて固定される。また、折り畳まれた両側面４    ａ、４ｂと連結手段の間部分３の合流する地点に裾５を入れ込む事により布がゆるん    で乳幼児が落下することが予防される。また、肩帯８の二重部分８ａを通す事により    、横方向へのずれが予防される。【００６０】    また、両肩にかける際にも肩帯と腰帯の間に布を巻くため、肩帯８の位置を調節する    事により、乳幼児の縦方向の大きさに合わせる事が可能となる。【００６１】    また、両肩にかける際に乳幼児保持部の上下の布を両側に引き出すことにより、子守    帯の幅を調節する事が可能であるため、縦方向、横方向への調節が可能であり、安全    や保温の為により広い面での乳幼児の保持や、前抱き、オンブなど乳幼児の保持部の    変更や、同方向、対面など乳幼児と保持者の向きの変更が可能となる。
【実施例】
【００６２】    以下、本発明の実施例を図面に基づいて詳述するが、本発明は実施例に限定されず、    技術的発想を具現下する変更が加えられうる。
【実施例１】
【００６３】    図３ａの実施例は、連結手段１ａ、１ｂの方向をずらしてそれぞれ連結手段を固定す    る部分２ａ、２ｂにて固定し、連結手段１ａ、１ｂと連結手段の間部分３によって出    来た環状部分に片腕をとおし、裾５を１ａ、１ｂに適宜通し、前方に出来た袋状の袋    状の乳幼児保持部に乳幼児を適宜適切な姿勢で収容して使用する。
【実施例３】
【００６４】    図３ｂの実施例は、図３ａにおける乳幼児保持部の高さをペットに合わせて調節して    保持した例である。
【実施例４】
【００６５】    図５ａの実施例は、裾５を帯の二重部分８ａに通し、３と８ａの間の長さを乳幼児の    大きさに合わせて折り返し、３からまわしこんで再び帯８の位置で折り返し、４ａと    ４ｂに裾５の両側を入れこんで出来る形態である。乳幼児の臀部が３より１０ｃｍほ    ど上になるように寝かせて３を乳幼児の腹部の方に折り返し、乳幼児の腰部を７にて    固定し、肩帯８を乳幼児の脇の下に通して保持者の両肩に肩帯８をかけて前方に、図    ５ｂのように連結手段を通して固定して使用する。
【実施例５】
【００６６】    図７の実施例は、連結手段１ａ、１ｂを合わせて適宜折り畳み、裾５の方から１ａ、    １ｂの方向に折り畳んでまとめ、二つ折りにした肩帯８を１ａ、１ｂに通して巻いて    固定し、１ａ、１ｂを持ち手として使用する。
【図面の簡単な説明】
【００６７】
【図１】乳幼児用スリングを示した正面図である。
【図２】帯を示した斜視図である。
【図３】片肩にかけて使用時の実施例を示した斜視図である。（ａ、ｂ）
【図４】両肩にかけて使用時の実施例を示した正面図である。
【図５】両肩にかけて使用時の実施例を示した背面図である。（ａ）両肩にかけて使用時の実施例を示した正面図である。（ｂ）
【図６】携帯用に変形した実施例を示した斜視図である。
【符号の説明】
【００６８】    １ａ、１ｂ  連結手段
２ａ、２ｂ  連結手段を二重に固定する二重固定部分
３          連結手段の間の部分
４ａ、４ｂ  側面部
５          裾部
６、７      布幅を調節する部分
８          肩帯
８ａ        肩帯帯の二重部分
【図１ａ】
2005288107.tif 000003
【図１ｂ】
2005288107.tif 000004
【図２】
2005288107.tif 000005
【図３ａ】
2005288107.tif 000006
【図３ｂ】
2005288107.tif 000007
【図４】
2005288107.tif 000008
【図５ａ】
2005288107.tif 000009
【図５ｂ】
2005288107.tif 000010
【図６】
2005288107.tif 000011